(57)【特許請求の範囲】
【請求項１】
不使用時にはカメラ本体内に収納されるとともに使用時にはカメラ本体外へ露出するフラッシュ発光部を備えるズーム機能付きカメラであって、
ズーム鏡胴の可動部に固定されており、途中位置をはさむ最後方位置と最前方位置との間をズーム鏡胴とともにカメラ本体に対して進退移動する進退駆動ピンと、
進退駆動ピンの最後方位置と途中位置との間における進退移動に連動させて、フラッシュ発光部をカメラ本体に対して昇降させ、これによりフラッシュ発光部の露出および収納を行う昇降機構と、
進退駆動ピンの途中位置と最前方位置との間における進退移動に連動させて、フラッシュ発光部をカメラ本体に対して撮影光軸方向に前後動させ、これによりフラッシュ照射角の変更を行う前後方向駆動機構と、
を備え、
上記フラッシュ発光部がカメラ本体に対して昇降可能な発光部枠体に対して撮影光軸方向に前後動可能に取り付けられるとともに、発光部枠体がカメラ本体に対して上方側へ、フラッシュ発光部が発光部枠体に対して前方側へ、それぞれ付勢されており、
上記進退駆動ピンの進退移動に連動して回動するとともに、上記昇降機構としての昇降アームと前後方向駆動機構としての前後動アームとを備えるカム手段を備えており、
カム手段の昇降アームは、進退駆動ピンが最後方位置にあるときに発光部枠体を上記付勢力に抗して最下方位置に位置せしめるとともに、進退駆動ピンが途中位置にあるときに発光部枠体が最上方位置に位置することを許容し、
カム手段の前後動アームは、進退駆動ピンが最前方位置にあるときにフラッシュ発光部を上記付勢力に抗して最後方位置に位置せしめるとともに、進退駆動ピンが途中位置にあるときにフラッシュ発光部が最前方位置に位置することを許容することを特徴とする、カメラ。
【請求項２】
不使用時にはカメラ本体内に収納されるとともに使用時にはカメラ本体外へ露出し、収納位置と露出位置との間をカメラ本体に対する姿勢を維持しつつ昇降するフラッシュ発光部と、
カメラ本体にヒンジ取付けされ、フラッシュ発光部の昇降動作に連動して閉位置と開位置との間を回動して、閉位置にあるときに収納位置にあるフラッシュ発光部を隠蔽し、開位置にあるときに露出位置にあるフラッシュ発光部を露出させる発光部蓋部材と、を備えるズーム機能付きカメラであって、
ズーム鏡胴の可動部に固定されており、途中位置をはさむ最後方位置と最前方位置との間をズーム鏡胴とともにカメラ本体に対して進退移動する進退駆動ピンと、
進退駆動ピンの最後方位置と途中位置との間における進退移動に連動させて、フラッシュ発光部をカメラ本体に対して昇降させ、これによりフラッシュ発光部の露出および収納を行う昇降機構と、
進退駆動ピンの途中位置と最前方位置との間における進退移動に連動させて、フラッシュ発光部をカメラ本体に対して撮影光軸方向に前後動させ、これによりフラッシュ照射角の変更を行う前後方向駆動機構と、
を備えており、
発光部蓋部材は、閉位置にあるときにカメラ本体前面側に延在してカメラ本体前面側の外殻部と整合する前面隠蔽部を備えており、
フラッシュ発光部は、収納位置にあるとき、その発光面の少なくとも一部が上記外殻部に、発光面の残りの部分が上記前面隠蔽部に、それぞれ覆われており、  フラッシュ発光部が収納位置から露出位置へと上昇するとき、該上昇移動により発光面の上記一部が外殻部を越えて露出するとともに、発光部蓋部材が回動することにより前面隠蔽部が発光面の上記残りの部分を露出させ、
上記フラッシュ発光部がカメラ本体に対して昇降可能な発光部枠体に対して撮影光軸方向に前後動可能に取り付けられるとともに、発光部枠体がカメラ本体に対して上方側へ、フラッシュ発光部が発光部枠体に対して前方側へ、それぞれ付勢されており、
上記進退駆動ピンの進退移動に連動して回動するとともに、上記昇降機構としての昇降アームと前後方向駆動機構としての前後動アームとを備えるカム手段を備えており、
カム手段の昇降アームは、進退駆動ピンが最後方位置にあるときに発光部枠体を上記付勢力に抗して最下方位置に位置せしめるとともに、進退駆動ピンが途中位置にあるときに発光部枠体が最上方位置に位置することを許容し、
カム手段の前後動アームは、進退駆動ピンが最前方位置にあるときにフラッシュ発光部を上記付勢力に抗して最後方位置に位置せしめるとともに、進退駆動ピンが途中位置にあるときにフラッシュ発光部が最前方位置に位置することを許容することを特徴とする、カメラ。
【発明の詳細な説明】
【０００１】
【発明の属する技術分野】
本発明は、不使用時にはカメラ内に収納されているとともに使用時にカメラ外に露出するリトラクタブルタイプのフラッシュ発光部を備えるカメラに関する。
【０００２】
【従来の技術および発明が解決しようとする課題】
コンパクトカメラは、凹凸のないスッキリしたデザインが好まれる傾向がある。そのようにデザインされたカメラの１つとして、不使用時にはカメラ内に収納されているとともに使用時にカメラ外に突出するリトラクタブルタイプのフラッシュ発光部を備えたカプセルタイプカメラが知られている。そのようなカメラの例を図１および図２に示した。
【０００３】
図１のカメラにおいては、フラッシュ発光部３は、カメラ本体１に対して傾斜した状態で該本体１内に収納されている(図１(ａ))。蓋部材２は、カメラ本体１にヒンジ結合されており、図１(ａ)の収納状態においては、フラッシュ発光部３を覆って隠蔽している。蓋部材２が回動軸２ａを中心として上方側へと回動すると、フラッシュ発光部３は、回動しつつ全体として上方へ移動してカメラ本体外へ露出される(図１(ｂ))。
【０００４】
図２のカメラにおいては、フラッシュ発光部７はカメラ本体５に対して直線的に上下動する。すなわち、フラッシュ発光部７に設けられたガイドピン９ａおよびガイドスロット８ａが、それぞれ、カメラ本体５に設けられたガイドスロット９ｂおよびガイドピン８ｂに係合しており、この結果、フラッシュ発光部７はカメラ本体５に対して直線的にスライドすることができる。フラッシュ発光部７の上面には蓋部材６が固定されており、収納状態(図２(ａ))においてフラッシュ発光部７を覆って隠蔽している。図２(ｂ)は、フラッシュ発光部７がカメラ外部に露出した状態を示している。
【０００５】
図１のカメラにおいては、図中に斜線で示した領域がデッドスペースとなり、カメラ内部のスペースが有効に利用されていない。また、図２のカメラにおいては、フラッシュ発光部７全体の高さ分(フレネルレンズ７ａの高さ分)に相当する距離だけフラッシュ発光部を上下動させる必要が生じ、そのような大きな移動に対応するガイド機構が必要となる。このように、リトラクタブルタイプのフラッシュ発光部を備える従来のカメラにおいては、カメラの大型化を招く要因が多い。
【０００６】
したがって、本発明が解決すべき技術的課題は、スペース効率が高められており、カメラの大型化を招くことのないリトラクタブルタイプのフラッシュ発光部を得ることである。
【０００７】
一方、ズーム機能を有するカメラにおいては、照射角一定のフラッシュでは望遠側でのフラッシュ撮影可能距離が短くズーム倍率を大きくすることができないため、望遠レンズの焦点距離に合わせてフラッシュの照射角を変更させるものが知られている。
【０００８】
そこで、そのようなカメラのズーム鏡胴の動作に連動させてリトラクタブルタイプのフラッシュ発光部の出し入れや、フラッシュ照射角を制御することによって、フラッシュ発光部専用の駆動モータを廃止し、これによって、カメラの大型化およびコストアップを抑えたカプセルタイプカメラを得ることもまた、本発明の課題である。
【０００９】
【課題を解決するための手段・作用・効果】
本発明は、上記課題を有効に解決するために創案されたものであって、以下の構成を有するカメラを提供するものである。
【００１０】
すなわち、本発明により、「不使用時にはカメラ本体内に収納されるとともに使用時にはカメラ本体外へ露出するフラッシュ発光部を備えるズーム機能付きカメラ」であって、「ズーム鏡胴の可動部に固定されており、途中位置をはさむ最後方位置と最前方位置との間をズーム鏡胴とともにカメラ本体に対して進退移動する進退駆動ピン」と、「進退駆動ピンの最後方位置と途中位置との間における進退移動に連動させて、フラッシュ発光部をカメラ本体に対して昇降させ、これによりフラッシュ発光部の露出および収納を行う昇降機構」と、「進退駆動ピンの途中位置と最前方位置との間における進退移動に連動させて、フラッシュ発光部をカメラ本体に対して撮影光軸方向に前後動させ、これによりフラッシュ照射角の変更を行う前後方向駆動機構」とを備えたことを特徴とするカメラが提供される。
このカメラは、さらに、「上記フラッシュ発光部がカメラ本体に対して昇降可能な発光部枠体に対して撮影光軸方向に前後動可能に取り付けられるとともに、発光部枠体がカメラ本体に対して上方側へ、フラッシュ発光部が発光部枠体に対して前方側へ、それぞれ付勢されていること」、および「上記進退駆動ピンの進退移動に連動して回動するとともに、上記昇降機構としての昇降アームと前後方向駆動機構としての前後動アームとを備えるカム手段を備えていること」を特徴とする。カム手段の昇降アームは、進退駆動ピンが最後方位置にあるときに発光部枠体を上記付勢力に抗して最下方位置に位置せしめるとともに、進退駆動ピンが途中位置にあるときに発光部枠体が最上方位置に位置することを許容する。また、カム手段の前後動アームは、進退駆動ピンが最前方位置にあるときにフラッシュ発光部を上記付勢力に抗して最後方位置に位置せしめるとともに、進退駆動ピンが途中位置にあるときにフラッシュ発光部が最前方位置に位置することを許容する。
本発明において、‘最前方位置’とは、進退駆動ピンがカメラ本体に対して最も前方に達した場合の位置をいい、‘最後方位置’とは、進退駆動ピンがカメラ本体に対して最も後方に達した場合の位置をいう。また、最前方位置と最後方位置との間には所定の‘途中位置’が設定されており、進退駆動ピンは、最前方位置と最後方位置との間を直線的に前後動し、その間に途中位置を通る。
【００１１】
上記構成を有する本発明のカメラにおいては、フラッシュ発光部専用のモータを設けることなく、ズーム鏡胴の移動に合わせてフラッシュ発光部の露出・収納動作およびフラッシュ照射角の変更ができるので、カメラの大型化を招くことなく多機能化を達成すること(すなわち、カメラの小型化を達成すること)ができる。
またさらに、１つのカム手段によって、昇降機構および前後方向駆動機構の両方の機能を達成することができるので、カメラの小型化という点でも有利である。
【００１２】
また、本発明により、「不使用時にはカメラ本体内に収納されるとともに使用時にはカメラ本体外へ露出し、収納位置と露出位置との間をカメラ本体に対する姿勢を維持しつつ昇降するフラッシュ発光部」と、「カメラ本体にヒンジ取付けされ、フラッシュ発光部の昇降動作に連動して閉位置と開位置との間を回動して、閉位置にあるときに収納位置にあるフラッシュ発光部を隠蔽し、開位置にあるときに露出位置にあるフラッシュ発光部を露出させる発光部蓋部材」と、を備えるズーム機能付きカメラが提供される。このカメラは、「ズーム鏡胴の可動部に固定されており、途中位置をはさむ最後方位置と最前方位置との間をズーム鏡胴とともにカメラ本体に対して進退移動する進退駆動ピン」と、「進退駆動ピンの最後方位置と途中位置との間における進退移動に連動させて、フラッシュ発光部をカメラ本体に対して昇降させ、これによりフラッシュ発光部の露出および収納を行う昇降機構」と、「進退駆動ピンの途中位置と最前方位置との間における進退移動に連動させて、フラッシュ発光部をカメラ本体に対して撮影光軸方向に前後動させ、これによりフラッシュ照射角の変更を行う前後方向駆動機構」と、を備えている。
発光部蓋部材は、閉位置にあるときにカメラ本体前面側に延在してカメラ本体前面側の外殻部と整合する前面隠蔽部を備える。フラッシュ発光部は、収納位置にあるとき、その発光面の少なくとも一部が上記外殻部に、発光面の残りの部分が上記前面隠蔽部に、それぞれ覆われている。フラッシュ発光部が収納位置から露出位置へと上昇するとき、該上昇移動により発光面の上記一部が外殻部を越えて露出するとともに、発光部蓋部材が回動することにより前面隠蔽部が発光面の上記残りの部分を露出させる。
そしてさらに、このカメラは、「上記フラッシュ発光部がカメラ本体に対して昇降可能な発光部枠体に対して撮影光軸方向に前後動可能に取り付けられるとともに、発光部枠体がカメラ本体に対して上方側へ、フラッシュ発光部が発光部枠体に対して前方側へ、それぞれ付勢されていること」、および「上記進退駆動ピンの進退移動に連動して回動するとともに、上記昇降機構としての昇降アームと前後方向駆動機構としての前後動アームとを備えるカム手段を備えていること」を特徴とする。カム手段の昇降アームは、進退駆動ピンが最後方位置にあるときに発光部枠体を上記付勢力に抗して最下方位置に位置せしめるとともに、進退駆動ピンが途中位置にあるときに発光部枠体が最上方位置に位置することを許容する。また、カム手段の前後動アームは、進退駆動ピンが最前方位置にあるときにフラッシュ発光部を上記付勢力に抗して最後方位置に位置せしめるとともに、進退駆動ピンが途中位置にあるときにフラッシュ発光部が最前方位置に位置することを許容する。
【００１３】
上記構成を有する本発明のカメラにおいては、上述の効果に加えて、さらに次のような効果が得られる。
すなわち、フラッシュ発光部が上下動するときにカメラ本体に対する姿勢を変えない(カメラ本体に対して回動しない)ので、図１に示した従来のカメラにおいては生じていたデッドスペースが生じるのを防ぐことができる。つまり、カメラ本体内の限られたスペースを有効に活用することによってカメラの小型化を達成することができる。
【００１４】
さらに、従来のカメラにおいてはフラッシュ発光面の全高に相当する長さのガイド機構が必要であったが、本発明のカメラにおいては、フラッシュ発光部は、カメラ本体前面側の外殻部で覆われたフラッシュ発光面の高さ部分に相当する分だけスライドさせればカメラ本体外へ露出するので、発光部蓋部材の前面隠蔽部で覆われたフラッシュ発光面の高さ部分に相当する分だけ、ガイド機構の長さを短くすることができるので、これによってもカメラの小型化を達成することができる。
【００１５】
すなわち、上記本発明のカメラによれば、デッドスペースの発生防止とガイド機構の短縮化との相乗効果により、従来よりも大幅なカメラの小型化を達成することができる。
【００１７】
またさらに、１つのカム手段によって、昇降機構および前後方向駆動機構の両方の機能を達成することができ、カメラの小型化という点で有利である。
【００１８】
【発明の実施の形態】
本発明の実施形態を添付の図面を参照しつつ以下に詳細に説明する。図３および図４は、本発明の一実施形態に係るカメラの斜視図を示している。図３はフラッシュ発光部がカメラ本体10内に収納された収納状態を、図４はフラッシュ発光部20がカメラ本体10外へ露出した露出状態を、それぞれ示している。図５は、図３および４に示したカメラの側面図を示しており、図５(ａ)は露出状態を、図５(ｂ)は収納状態を示している。
【００１９】
発光部蓋部材11は、カメラ本体10にヒンジ取付けされており、回動軸12を中心として閉位置(図５(ｂ))と開位置(図５(ａ))との間で回動する。フラッシュ発光部20にはガイドピン25ａおよびガイドスロット25ｂが設けられており、それぞれが、カメラ本体10側に設けられたガイドスロット15ａおよびガイドピン15ｂに係合している。したがって、フラッシュ発光部20は、収納位置(図５(ｂ))と露出位置(図５(ａ))との間をカメラ本体10に対して直線的に上下動することができる。発光部蓋部材11の側面には下方に向けて延在する延在板13が形成されており、この延在板には細長いカムスロット14が設けられている。一方、フラッシュ発光部20の側面に設けられたカムピン22がカムスロット14に係合しており、この結果、フラッシュ発光部20が発光部蓋部材11の回動に連動して上下動する。すなわち、発光部蓋部材11が開位置にあるときフラッシュ発光部20は露出位置にあり、発光部蓋部材11が閉位置にあるときフラッシュ発光部20は収納位置にある。
【００２０】
発光部蓋部材11は、閉位置にあるときにカメラ本体10の前面側に延在する前面隠蔽壁11ａを備えている。図３に示したように、発光部蓋部材11が閉位置にあるとき、前面隠蔽壁11ａは、カメラ本体10の前面側の外殻部10ａにピッタリと整合する。このとき、図５(ｂ)に示したように、フラッシュ発光部の発光面(フレネルレンズ21)は、前面隠蔽壁11ａと外殻部10ａとで覆われる。すなわち、フレネルレンズ21は、その下方側の一部分21ａが外殻部10ａに、残りの部分21ｂが前面隠蔽壁11ａに覆われている。フラッシュ発光部20が収納位置から露出位置へと上昇するとき、該上昇移動によりフレネルレンズの上記一部21ａが外殻部10ａを越えて上方に移動して露出するとともに、発光部蓋部材11が回動することにより前面隠蔽部11ａがフレネルレンズの上記残りの部分21ｂを露出させる。この結果、図５(ａ)の開位置(露出位置)では、フレネルレンズ21の全面がカメラ本体外へと露出することとなる。
【００２１】
図３〜５に示したカメラの特徴は、▲１▼フラッシュ発光部20が上下動するときにカメラ本体10に対する姿勢を変えないこと、すなわち、フラッシュ発光部20が上下動するときにカメラ本体10に対して回動しないこと、および▲２▼フラッシュ発光部20が収納位置から露出位置へと上昇するときに、その移動距離は、フレネルレンズ21の全高に相当する距離は必要なく、外殻部10ａに覆われたフレネルレンズの下方側の一部分21ａに相当する距離で足りていること、である。
【００２２】
以上の特徴によって、図１に斜線部で示したようなデッドスペースが生じるのを防ぐことができるだけでなく、フラッシュ発光部の上下方向の移動距離を小さく抑えることができる。すなわち、図２の従来例においてはフレネルレンズ７ａの全高さ分に相当する距離だけフラッシュ発光部を上下動させる必要があったが、図５に示した本発明のカメラにおいては、フラッシュ発光部に要求される上下方向移動距離は、(フレネルレンズ21の全高Ｈ)−(閉位置にある発光部蓋部材の前面隠蔽壁11ａによって覆われるフレネルレンズ21の高さ分ｈ1)＝ｈ2で足りる。したがって、その分だけ、フラッシュ発光部のガイド機構等が短縮化され、カメラ全体の小型化を達成することができる。
【００２３】
図６は、図５に示したカメラの変形例を示している。フラッシュ発光部20’の側面には、回動支持ピン26ａとガイドピン26ｂとが上下に設けられている。回動支持ピン26ａは、発光部蓋部材11の内表面に設けられた凹部(図示せず)内に回動可能に係合している。また、ガイドピン26ｂはカメラ本体側のガイドスロット15ａ’内にスライド可能に係合している。したがって、フラッシュ発光部20’は、発光部蓋部材11の回動に連動して上下動する。図６のカメラにおいては、フラッシュ発光部20’がカメラ本体10に対して斜め方向に直線移動しているが、この場合にも、フラッシュ発光部20’は、上下動の際にカメラ本体10に対する姿勢を変えることはない。なお、図５および図６において、発光部蓋部材11をカメラ本体に対して回動させるのは、モータ等の駆動力を利用してもよいし、手動で行ってもよい。
【００２４】
以上に説明した本発明の実施形態においては、デッドスペースが生じることを防止し、かつ、フラッシュ発光部のガイド機構を短縮化することによって、カメラの小型化を達成しているが、ズーム機能を有するカメラの場合には、鏡胴の伸縮動作に連動させて発光管を駆動させれば、専用モータを設けることなく焦点距離に応じてフラッシュ照射角を変更することができ、カメラの大型化を招くことなく多機能化を達成することができる。そのような実施形態について以下に説明する。
【００２５】
図７は、カメラの要部を示す概略正面図である。また、図８〜10は、フラッシュ発光部の移動動作を説明する概略側面図である。図８はフラッシュ発光部が収納された収納状態を、図９はフラッシュ発光部が露出し、かつ発光部からの光が広角で照射されるワイド状態を、図10はフラッシュ発光部が露出し、かつ発光部からの光が狭角で照射されるテレ状態を、それぞれ示している。図11〜13は、鏡胴の進退動作に連動させてフラッシュ発光部を駆動させる駆動機構を示しており、それぞれ、図８〜10に対応している。なお、図８および11の状態においては、ズーム鏡胴は完全に沈胴しており、図10および13の状態においては、ズーム鏡胴の突出量は最大となっている。
【００２６】
このカメラにおいては、発光ユニット(フラッシュ発光部)40が発光部枠体30内に収容されており、発光ユニット40は発光部枠体30とともに上下方向に移動する。また、発光ユニット40は、発光部枠体30に対して前後方向(撮影光軸方向)に相対移動可能である。そして、発光部枠体30および発光ユニット40は、後述の駆動機構によって撮影レンズ鏡胴の進退移動と連動して駆動される。なお、図５の場合と同様のカムスロットおよびカムピンを利用した機構によって、発光部枠体30の上下動に連動して発光部蓋部材39が回動する。
【００２７】
発光部枠体30は、発光ユニット40を収容する収容部31と、収容部31の片側からカメラ本体側面に沿って下方に延びる細長い平板状の脚部32とを備えており、図５に示したフラッシュ発光部20の場合と同様の機構によってカメラ本体に対して上下動する。すなわち、収容部31上の脚部32との境界部近傍の位置にはピン材35が固定されており、その基端部35ａがガイドピンとして機能する。また、脚部32の先端部にはその長手方向に沿ってガイドスロット32ｂが形成されている。一方、カメラ本体90には、ガイドスロット90ａおよびガイドピン90ｂが設けられている。なお、ピン材35の先端部35ｂ(図７参照)は、後述する駆動機構の昇降アーム82に駆動される昇降案内ピンとして機能する。
【００２８】
発光部枠体30の収容部31に設けられたガイドピン35aがカメラ本体側のガイドスロット90ａと、発光部枠体30の脚部32に形成されたガイドスロット32ｂがカメラ本体側のガイドピン90ｂと、それぞれ係合することによって、発光部枠体30は、上下方向に移動可能な状態でカメラ本体90に支持されている。発光部枠体30のカメラ正面側には、フレネルレンズ36が固定されている。なお、発光部枠体30は、カメラ本体90に対して上方向(露出方向)へと、図示しない付勢スプリングによって付勢されている。
【００２９】
発光ユニット(フラッシュ発光部)40は、発光部枠体30の収容部31内に配置されており、発光管42および反射傘43を備えている。発光ユニット40の背面側には貫通孔41が形成されており、この貫通孔41には、発光部枠体30に固定された前後動案内軸34が通されている。発光部ユニット40は、この前後動案内軸34に案内されて、発光部枠体30に対して相対的に前後方向(撮影光軸方向)に移動することができる。なお、発光ユニット40は、発光部枠体30に対してカメラ前方側へと、図示しない付勢スプリングによって付勢されている。また、発光ユニット40には、後述する駆動機構の前後動アーム83に駆動される前後動案内ピン45が固定されている(図８参照)。
【００３０】
図７〜18に示したカメラにおいては、ズーム鏡胴の進退移動に連動して発光部枠体30、発光ユニット40、および発光部蓋部材39が駆動される。以下にその駆動機構について説明する。駆動機構は、図14の斜視図に示したように、主として３つの駆動部材で構成される。つまり、ズーム鏡胴を構成する可動筒の１つと係合し該可動筒の進退移動と連動する第１駆動部材60と、発光部枠体30および発光ユニット40と係合し両者をカム駆動する第３駆動部材(カム手段)80と、第１駆動部材60と第３駆動部材80との間で力を伝達する第２駆動部材70と、である。
【００３１】
第１駆動部材60は、カメラ本体90に対して回動可能に固定された回動軸61と、回動軸61の一端に固定されておりズーム鏡胴29近傍においてカメラ上下方向に延在するアーム62と、回動軸61の他端に固定されており第２駆動部材に動力を伝達する伝達部63とを備えている。伝達部63には長短２つのアーム63ａおよび63ｂが形成されている(図11参照)。なお、後述するように、図８と図９との間におけるリトラクタブル動作の間には長アーム63ａが、図９と図10との間におけるズーミング動作の間には短アーム63ｂが、それぞれ、動力を第２係合部材70へと伝達する。
【００３２】
第２駆動部材70は、カメラ本体90に対して回動可能に固定された回動軸71と、回動軸71から互いに所定の角度をなして延びる長アーム72および短アーム73とを備えている。短アーム73は、第１駆動部材の伝達部63の長アーム63ａと短アーム63ｂとの間の谷部に係合することができる。また、第１駆動部材60の長アーム63ａは、第２駆動部材70の長アーム72と短アーム73との間の谷部に係合することができる。長アーム72は、ねじりコイルバネで構成されるオーバーチャージスプリング79を介して第３駆動部材80へと力を伝達する。この機構については後述する。
【００３３】
第３駆動部材80は、カメラ本体10に対して回動可能に固定された回動軸81と、発光部枠体30に固定された昇降案内ピン35ｂと当接して発光部枠体の昇降を制御する昇降アーム82と、発光ユニット40に固定された前後動案内ピン45と当接して発光ユニットの前後動を制御する前後動アーム83とを備える。図14の斜視図および図15の頂面図(図15は、カメラを上方側から見た頂面図であって、図中下方側がカメラ正面側に対応している)からも分かるように、昇降アーム82と前後動アーム83とは、回動軸方向に所定の間隔をおいて配置されており、両アームの間に第１駆動部材の伝達部63および第２駆動部材70が位置している。
【００３４】
次に図14および図16〜18を参照して、第２駆動部材70がオーバーチャージスプリング79を介して第３駆動部材80へと力を伝達する機構について説明する。第３駆動部材の回動軸81には、軸方向に延びるスロット部81ｃと該スロット部81ｃの両端部から周方向に互いに反対方向に延びる２つのスロット部81ａ、81ｂとで構成される階段状のスロットが形成されている(図18参照)。また、回動軸81の内部には、オーバーチャージスプリング79が組み込まれており、該スプリング79の第１および第２の端部79ａ、79ｂが上記スロットを通して外部に突出している。スプリング第１端部79ａはスロット部81ａ内を、スプリング第２端部79ｂはスロット部81ｂ内を、それぞれ摺動することができる。図18においては第２駆動部材70の図示は省略しているが、図16および17に示したように、第２駆動部材70の長アーム72がスプリング79の両端部79ａ、79ｂの間に延びている。そして、長アーム72の片面から突出する押上レバー74が第１端部79ａの下方側に(図17参照)、長アーム72のもう一方の面から突出する押下レバー75が第２端部79ｂの上方側に(図16参照)、それぞれ当接している。
【００３５】
したがって、第２駆動部材70が図16中矢印Ａ方向に回動すると押下レバー75がスプリング第２端部79ｂを下方に向けて押圧し、この結果、スプリング第１端部79ａがスロット部81ａの端部壁面を下方に押圧することによって、第３駆動部材80が図12中矢印Ａ方向に回動する。同様に、第２駆動部材70が図17中矢印Ｂ方向に回動すると押上レバー74がスプリング第１端部79ａを上方に向けて押圧し、この結果、スプリング第２端部79ｂがスロット部81ｂの端部壁面を上方に押圧することによって、第３駆動部材80が図11中矢印Ｂ方向に回動する。
【００３６】
以下に、図８〜13を参照して、ズームレンズ鏡胴と発光ユニットおよび発光部蓋部材等との連動機構について説明する。図11〜13において、破線29ａで示した長方形は、ズーム鏡胴29を構成する固定筒(図示せず)に形成されたガイドスロットであって撮影光軸方向と平行に延在している。このガイドスロット29ａには、上記固定筒に入子式に嵌合する可動筒(図示せず)に固定された進退駆動ピン28が嵌合しており、カメラのズーミング操作に連動してガイドスロット29ａ内を前後動する。進退駆動ピン28は、固定筒の表面を越えて突出しており、第１駆動部材60のアーム62に形成された係合スロット62ａと係合している。進退駆動ピン28は、図11の状態ではカメラ本体90に対して最後方位置にあり、図13の状態ではカメラ本体90に対して最前方位置にある。後述するように、進退駆動ピン28が図11および図12に示される位置の間で移動するときはリトラクタブル動作が行われ、図12および図13で示される位置の間で移動するときには発光ユニットの進退動作(前後動)が行われる。そして、これら両動作が行われる中間位置に相当する図12に示される進退駆動ピン28の位置を途中位置と呼ぶ。
【００３７】
図８および図11の沈胴状態から、前記可動筒がカメラ本体90に対して前方に繰り出されると、可動筒に固定された進退駆動ピン28もガイドスロット23内を図11中左方向に進行し、図12の途中位置にくる。これに伴って、第１駆動部材の伝達部63が図11中時計回り方向へと回動する。このとき、伝達部63の長アーム63ａの先端部から第２駆動部材の長アーム72の根本部分に駆動力が伝達され、第２駆動部材70が反時計回り方向(すなわち、図17中矢印Ｂ方向)に回動する。前述のように、第２駆動部材70が図17中矢印Ｂ方向に回動すると、第３駆動部材80が図11中矢印Ｂ方向に回転する。そしてこの結果、昇降アーム82が図11から図12の状態へと上方に移動する。ここで、図11中35ｂは、前述した発光部枠体30に設けられた昇降案内ピンである。つまり、発光部枠体30(勿論、昇降案内ピン35ｂも)は、不図示の付勢スプリングによって上方向に付勢されているが、図11では昇降アーム82によって上方向への移動を禁止された状態にある。したがって、第３駆動部材80の回動に伴って、昇降案内ピン35ｂが上方へと、すなわち発光部枠体30が上方へと、移動して図９に示した状態となる。発光部枠体30がカメラ本体側のガイドスロット90aに拘束されているので、第３駆動部材80が図12の状態から図13の状態へ向けてさらに回動しても、昇降案内ピン35ｂがそれ以上上方へ移動することはない。このように、進退駆動ピン28が最後方位置(図11)と途中位置(図12)との間で移動するとき、これに連動して発光ユニット40の収納および露出動作(リトラクタブル動作)が行われる。
【００３８】
図12に示した状態においては、第３駆動部材80の前後動アーム83が前後動案内ピン45と当接している。図11と図12を比較すると前後動案内ピン45が上方へと移動しているが、これは、前後動案内ピン44が発光ユニット40に固定されており、発光ユニット40が発光部枠体30とともに上方へ移動しているからである。
【００３９】
前記可動筒に固定された進退駆動ピン28が図12の位置からさらに前進すると、第３駆動部材80は、さらに時計回り方向への回動を続ける。前述したように、発光ユニット40は不図示の付勢スプリングによってカメラ前方側(図12中左側)へと付勢されているが、第３駆動部材の前後動アーム83は、この付勢力に抗して前後動案内ピン45を(すなわち、発光ユニット40を)図12中右側へと押圧する。このようにして、可動筒に固定された進退駆動ピン28がガイドスロット23内を図12の位置から図13の位置まで移動すると、発光ユニット40は、発光部枠体30に対して相対的に図９の位置から図10の位置へと(カメラ本体に対して前方から最後方へと)移動する。図10および13は、鏡胴が最も突出したテレ状態を示している。このように、進退駆動ピン28が途中位置(図12)と最前方位置(図13)との間で移動するとき、これに連動して発光ユニット40の進退動作(前後動)が行われる。
【００４０】
仮に、設計または組立上の誤差によって、発光ユニット40が最後方位置に達した後においてなおも第２駆動部材70が回動を続け、これにより押上レバー74がスプリング第１端部79ａを上方に押圧したとしても、スプリング第１端部79ａがスロット部81ａ内を上方にスライドすることによって(図18参照)、第２駆動部材70の過回転を吸収する。
【００４１】
発光ユニット40がカメラ本体90に対して最後方位置にあるとき、フラッシュ発光面(フレネルレンズ36)と発光管42との距離が最大となり、フラッシュの照射角が最も狭くなる。逆に、発光ユニット40がカメラ本体90に対して最前方位置にあるとき(図８および11の状態)、フラッシュ発光面と発光管42との距離が最小となり、フラッシュの照射角が最も大きくなる。
【００４２】
以上説明したように、図８と図９との間における動作(リトラクタブル動作)においては第１駆動部材から第２駆動部材への駆動力の伝達は、伝達部63の長アーム63ａを介して、図９と図10との間における動作(ズーミング動作)においては第１駆動部材から第２駆動部材への駆動力の伝達は、伝達部63の短アーム63ｂを介して、それぞれ行われる。したがって、可動筒に固定された進退駆動ピン28の移動量に対する発光部枠体30の昇降量を長アーム63ａの長さによって、同じく進退駆動ピン28の移動量に対する発光ユニット40の前後方向移動量を短アーム63ｂの長さによって、それぞれ設定することができる。
【００４３】
なお、テレ状態から沈胴状態へと移動する際には、上記と逆の工程をたどる。図13から図12の状態へ移行するときには、第３駆動部材80の前後動アーム83がカメラ前方側へと移動し、発光ユニット40は、前述のスプリング付勢力によって前後動アーム83に追従してカメラ前方へと移動する。図12から図11の状態へ移行するときには、第１駆動部材の伝達部の長アーム63ａから第２駆動部材70の短アーム73の根本部分に駆動力が伝達され、第２駆動部材70が図12中時計回り方向(すなわち、図16中矢印Ａ方向)に回動する。前述のように、第２駆動部材70が図16中矢印Ａ方向に回動すると、第３駆動部材80が図12中矢印Ａ方向に回転する。この結果、第３駆動部材80の昇降アーム82が昇降案内ピン35ｂを下方へ(すなわち、発光部枠体30を下方へ)押圧し、図11の状態に戻る。
【００４４】
仮に、設計または組立上の誤差によって、発光部枠体30が最下方位置に達した後においてなおも第２駆動部材70が回動を続け、これにより押下レバー75がスプリング第２端部79ｂを下方に押圧したとしても、スプリング第２端部79ｂがスロット部81ｂ内を下方にスライドすることによって(図18参照)、第２駆動部材70の過回転を吸収する。
【００４５】
以上の説明から分かるように、昇降アーム82は、進退駆動ピン28の最後方位置と途中位置との間における進退移動に連動させて、発光ユニット40をカメラ本体90に対して昇降させ、これにより発光ユニット40の露出および収納を行う昇降機構として機能している。また、前後動アーム83は、進退駆動ピン28の途中位置と最前方位置との間における進退移動に連動させて、発光ユニット40をカメラ本体90に対して撮影光軸方向に前後動させ、これによりフラッシュ照射角の変更を行う前後方向駆動機構として機能している。図示の実施形態では、昇降アーム82および上下動アーム83を、単一のカム手段としての第３駆動部材80に設けることによって、カメラの小型化の他、部品点数の削減によるコストダウンを実現している。
【図面の簡単な説明】
【図１】  従来のカプセルタイプカメラを説明する側面図である。
【図２】  従来の他のカプセルタイプカメラを説明する側面図である。
【図３】  本発明の一実施形態に係るカメラをフラッシュ発光部が収納された状態で示す斜視図である。
【図４】  図３のカメラのフラッシュ発光部が露出した状態を示す斜視図である。
【図５】  図３のカメラを説明する側面図である。
【図６】  図３のカメラの変形例を説明する側面図である。
【図７】  本発明のカメラの他の実施形態を示す要部正面図である。
【図８】  図７のカメラをフラッシュ発光部が収納された状態で示す側面図である。
【図９】  図８の状態から発光部枠体が露出した状態を示す側面図である。
【図１０】  図９の状態から発光ユニットがカメラ後方側へと後退した状態を示す側面図である。
【図１１】  図７のカメラの機構を説明する要部側面図であって、図８の状態に対応するものである。
【図１２】  図７のカメラの機構を説明する要部側面図であって、図９の状態に対応するものである。
【図１３】  図７のカメラの機構を説明する要部側面図であって、図10の状態に対応するものである。
【図１４】  図７のカメラの機構を示す要部斜視図である。
【図１５】  図７のカメラの要部頂面図である。
【図１６】  図14に示した駆動機構の第２駆動部材と第３駆動部材との連結関係を説明する斜視説明図である。
【図１７】  図14に示した駆動機構の第２駆動部材と第３駆動部材との連結関係を説明する斜視説明図である。
【図１８】  図14に示した駆動機構の第２駆動部材と第３駆動部材との連結関係を説明する斜視説明図である。
【符号の説明】
１  カメラ本体
２  発光部蓋部材
２ａ  回動軸
３  フラッシュ発光部
３ａ  フレネルレンズ
５  カメラ本体
６  発光部蓋部材
７  フラッシュ発光部
７ａ  フレネルレンズ
８ａ  ガイドスロット
８ｂ  ガイドピン
９ａ  ガイドピン
９ｂ  ガイドスロット
10  カメラ本体
10ａ  外殻部
11  発光部蓋部材
11ａ  前面隠蔽壁
12  回動軸
13  延在板
14  カムスロット
15ａ、15ａ’  ガイドスロット
15ｂ  ガイドピン
20、20’  フラッシュ発光部
21  フレネルレンズ
22  カムピン
25ａ  ガイドピン
25ｂ  ガイドスロット
26ａ  回動支持ピン
26ｂ  ガイドピン
28  進退駆動ピン
29  ズームレンズ鏡胴
29ａ  ガイドスロット
30  発光部枠体
31  収容部
32  脚部
32ｂ  ガイドスロット
34  前後動案内軸
35  ピン材
35ａ  ガイドピン
35ｂ  昇降案内ピン
36  フレネルレンズ
39  発光部蓋部材
40  発光ユニット
41  貫通孔
42  発光管
43  反射傘
45  前後動案内ピン
60  第１駆動部材
61  回動軸
62  アーム
62ａ  係合スロット
63  伝達部
63ａ  長アーム
63ｂ  短アーム
70  第２駆動部材
71  回動軸
72  長アーム
73  短アーム
74  押上レバー
75  押下レバー
79  オーバーチャージスプリング
79ａ  スプリング第１端部
79ｂ  スプリング第２端部
80  第３駆動部材
81  回動軸
81ａ、81ｂ、81ｃ  スロット部
82  昇降アーム
83  前後動アーム
90  カメラ本体
90ａ  ガイドスロット
90ｂ  ガイドピン
【図１】
0003744154.tif 000002
【図２】
0003744154.tif 000003
【図３】
0003744154.tif 000004
【図４】
0003744154.tif 000005
【図５】
0003744154.tif 000006
【図６】
0003744154.tif 000007
【図７】
0003744154.tif 000008
【図８】
0003744154.tif 000009
【図９】
0003744154.tif 000010
【図１０】
0003744154.tif 000011
【図１１】
0003744154.tif 000012
【図１２】
0003744154.tif 000013
【図１３】
0003744154.tif 000014
【図１４】
0003744154.tif 000015
【図１５】
0003744154.tif 000016
【図１６】
0003744154.tif 000017
【図１７】
0003744154.tif 000018
【図１８】
0003744154.tif 000019